(57)【特許請求の範囲】
【請求項１】
室内に設置された同一のインターホンシステムの他のインターホンを個別に呼出すための複数の内線呼出スイッチを備えたインターホンにおいて、
自己内線番号設定手段と、
複数の内線呼出スイッチと、
上記自己内線番号設定手段によって、自己のインターホンの内線番号が設定された後に、所定のスイッチ操作を受け付けることによって、自己内線番号をスキップして、上記複数の内線呼出スイッチに、他のインターホンの内線番号を自動的に割り付ける内線番号自動割付手段とを備えた内線番号設定機能を備えたインターホン。
【請求項２】
室内に設置された同一のインターホンシステムの他のインターホンを個別に呼出すための複数の内線呼出スイッチを備えたインターホンにおいて、
自己内線番号設定手段と、
複数の内線呼出スイッチと、
上記自己内線番号設定手段によって、自己のインターホンの内線番号が設定された後に、所定のスイッチ操作を受け付けることによって、自己内線番号をスキップして、上記複数の内線呼出スイッチに、他のインターホンの内線番号を自動的に割り付けるとともに、かくして自動的に内線番号を割り付けた内線呼出スイッチの他の内線呼出スイッチに、内線一斉呼出機能を割り付ける内線番号自動割付手段とを備えた内線番号設定機能を備えたインターホン。
【請求項３】
請求項１において、
グループ番号設定手段と、
一斉呼出スイッチと、
上記一斉呼出スイッチによる一斉呼出を、上記グループ番号設定手段によって同じグループ番号に設定された他のインターホンに対してのみ行わせる呼出制御手段とを備えた構成としている内線番号設定機能を備えたインターホン。
【請求項４】
請求項１に記載の上記内線番号自動割付手段に代えて、
上記グループ番号設定手段によって、同一のグループ番号設定手段によって、同一のグループ番号に設定されている他のインターホンに設定された内線番号のみを、予め設定された順序に従って、上記内線呼出スイッチに自動的に割付を行う自動内線番号割付手段を備えた構成としている内線番号設定機能を備えたインターホン。
【請求項５】
請求項３または４において、
他グループ呼出スイッチを更に備えており、
この他グループ呼出スイッチを操作したときには、上記グループ番号設定手段によって設定された自己のグループ以外で、同一システムを構成する他のグループのインターホンを呼出する構成としている内線番号設定機能を備えたインターホン。
【請求項６】
請求項１〜５において、
上記インターホンが、ハンドセットを備えたものである内線番号設定機能を備えたインターホン。
【請求項７】
請求項１〜５において、
上記インターホンが、通話スイッチを備えたハンズフリータイプのものである内線番号設定機能を備えたインターホン。
【発明の詳細な説明】
【０００１】
【発明の属する技術分野】
本発明は、室内に設置され、１台の親機に複数の副親機を接続して構成された同一のインターホンシステムにおいて、他のインターホンを個別に呼出すための複数の内線呼出スイッチを有する内線番号設定機能を備えたインターホンに関する。
【０００２】
【従来の技術】
近時、各室内に１台の親機と複数の副親機とを設置し、これを同一の制御線、通話線を接続して構成されるインターホンシステムが広く使用されるに至っている。
このインターホンシステムは、例えば、図９に示すように、室内に親機ａ１台と副親機ｂ，ｃ，ｄの３台で合わせて４台設置されている場合、親機ａと副親機ｂ，ｃ，ｄには、その本体部に、それぞれ４つの内線呼出スイッチｅ，ｆ，ｇ，ｈが設けられ、それぞれ形式の異なる内線番号１〜４を設定するための内線番号設定用ディップスイッチｉ，ｊ，ｋ，ｍがそれぞれ設けられており、４つの内線呼出スイッチｅ，ｆ，ｇ，ｈのいずれか一つを選択して、相手を呼び出し通話を行う構成となっている。
【０００３】
また、このようなインターホンシステムを２世代同居で使用する場合は、図１１に示すように、各室内に設置された親世帯側の親機ｐと副親機ｑと子世帯側の２台の副親機ｒ，ｓとが一系統で接続して使用される。
これら親機ｐと各副親機ｑ，ｒ，ｓには、それぞれ４つの内線スイッチｖ，ｗ，ｘ，ｙが設けられており、これらの内線スイッチｖ，ｗ，ｘ，ｙは、内線番号の順番に割り当てられ、親世帯側は内線スイッチｖ，ｗ、子世帯側では内線スイッチｘ，ｙとなっている。  また、図１２に示すように、親機ｐと各副親機ｑ，ｒ，ｓにはそれぞれ一斉呼出スイッチｚが設けられ、この一斉呼出スイッチｚを押すことによって、一斉呼出を行うようになっている。尚、符号ｔ，ｕは、親機Ｐに接続された第１子器、第２子器である。
【０００４】
【発明が解決しようとする課題】
ところが、上記従来のインターホンシステムにおいては、親機ａと副親機ｂ，ｃ，ｄにそれぞれ４つの内線呼出スイッチｅ，ｆ，ｇ，ｈを設けているので、押操作する者の内線呼出スイッチがそのなかにあり、不必要な内線呼出スイッチが存在しているという問題があった。
【０００５】
しかも、図１０に示すように、押操作する自己の内線呼出スイッチが、親機ａと３つの副親機ｂ，ｃ，ｄにおいて、それぞれ位置が異なり、押操作する者は、親機ａと３つの副親機ｂ，ｃ，ｄにおけるそれぞれ自己の番号を認識しておかなければならないという厄介な問題があった。
また、２世代用のインターホンシステムにおいては、例えば、親世帯側の者が一斉呼出スイッチｚを押操作した場合、親世帯側の親機ｐと副親機ｑが鳴動するだけでなく、子世帯側の副親機ｒ，ｓまで鳴動してしまうので、子世帯に迷惑をかけてしまうという問題があった。
【０００６】
しかも、設定においては、親世帯側の内線スイッチｖ，ｗが上側に位置し、子世帯側の内線スイッチｘ，ｙが下側に位置するか、あるいはその逆の関係に位置しているので、子世帯側で頻繁に使用する場合は、その内線スイッチｘ，ｙが下側に位置しているため、操作性がよくないという問題があった。
本発明は、上記問題を解消するために提案されたものであって、その第１の目的は、自己の内線番号を割り付ける必要がなく、内線呼出スイッチの必要数を軽減することができ、操作スイッチを簡略化することができ、取扱が混乱することがなく、更に割り付けてある場合には、その内線呼出スイッチを一斉呼出し等の他機能スイッチとして使用でき、未使用の内線呼出スイッチの位置を統一できる内線番号設定機能を備えたインターホンを提供することにある。また、第２の目的は、一斉呼出を、同じグループに対してのみ行うことができ、同一システムのインターホンであっても、他のグループに影響を与えずに独立して使用でき、親機、副親機に設ける内線呼出スイッチの数を少なくでき、自己のグループの内線呼出スイッチを上側に割り付けることができて操作性のよい内線番号設定機能を備えたインターホンを提供することにある。
【０００７】
【課題を解決するための手段】
本発明は、上記目的を達成するために提案されたものであって、請求項１の内線番号設定機能を備えたインターホンは、室内に設置された同一のインターホンシステムの他のインターホンを個別に呼出すための複数の内線呼出スイッチを備えたインターホンにおいて、自己内線番号設定手段と、複数の内線呼出スイッチと、上記自己内線番号設定手段によって、自己のインターホンの内線番号が設定された後に、所定のスイッチ操作を受け付けて、自己内線番号をスキップして、上記複数の内線呼出スイッチに、他のインターホンの内線番号を自動的に割り付ける内線番号自動割付手段とを備えている。
【０００８】
請求項２の内線番号設定機能を備えたインターホンは、室内に設置された同一のインターホンシステムの他のインターホンを個別に呼出すための複数の内線呼出スイッチを備えたインターホンにおいて、自己内線番号設定手段と、複数の内線呼出スイッチと、上記自己内線番号設定手段によって、自己のインターホンの内線番号が設定された後に、所定のスイッチ操作を受け付けて、自己内線番号をスキップして、上記複数の内線呼出スイッチに、他のインターホンの内線番号を自動的に割り付けるとともに、かくして自動的に内線番号を割り付けた内線呼出スイッチの他の内線呼出スイッチに、内線一斉呼出機能を割り付ける内線番号自動割付手段とを備えている。
【０００９】
請求項３の内線番号設定機能を備えたインターホンは、請求項１において、
グループ番号設定手段と、一斉呼出スイッチと、上記一斉呼出スイッチによる一斉呼出を、上記グループ番号設定手段によって同じグループ番号に設定された他のインターホンに対してのみ行わせる呼出制御手段とを更に備えた構成としている。
【００１０】
請求項４のインターホンは、請求項１に記載された内線番号自動割付手段に代えて、上記グループ番号設定手段によって同一のグループ番号に設定されている他のインターホンに設定された内線番号のみを、予め設定された順序に従って、上記内線呼出スイッチに自動的に割付を行う自動内線番号割付手段を備えた構成としている。
【００１１】
請求項５の内線番号設定機能を備えたインターホンは、請求項３，４において、他グループ呼出スイッチを更に備えており、この他グループ呼出スイッチを操作したときには、上記グループ番号設定手段にて設定された自己のグループ以外で、同一システムを構成する他のグループのインターホンを呼出する構成としている。
【００１２】
請求項６の内線番号設定機能を備えたインターホンは、ハンドセットを備えたものである。
請求項７の内線番号設定機能を備えたインターホンは、通話スイッチを備えたハンズフリータイプのものである。
【００１３】
【発明の実施の形態】
以下、本発明に係る内線番号設定機能を備えたインターホンの実施の形態を、図とともに説明する。図１は、本発明のインターホンの内部構成を示すブロック図であって、このインターホン１は、自己の内線番号を設定するための左右２つのディップスイッチ２Ａ，２Ｂで構成される内線番号設定スイッチ２からなる自己内線番号設定手段と、内線番号１の呼出スイッチ３ａ、内線番号２の呼出スイッチ３ｂ、内線番号３の呼出スイッチ３ｃからなる複数の内線呼出スイッチ３と、自己内線番号設定手段２によって、自己のインターホンの内線番号を設定したときには、複数の内線呼出スイッチ３（３ａ，３ｂ，３ｃ）に、自己内線番号をスキップして、他のインターホンの内線番号を自動的に割り付けるためのＣＰＵ４からなる内線番号自動割付手段とを備えている。
【００１４】
内線番号自動割付手段はＣＰＵ４で構成され、自動的に内線番号を割り付けた内線呼出スイッチ３に、内線一斉呼出機能を有する内線一斉呼出スイッチ３ｄを更に備えている。
図３に示すように、呼出スイッチが上下４個並んで併設されている場合には、上部の呼出スイッチ３ａ，３ｂ，３ｃを内線呼出スイッチとして使用し、最下部の呼出スイッチ３ｄを内線一斉呼出スイッチ３ｄとして用いることができる。  尚、一斉内線呼出スイッチとして用いない場合には、この最下部の呼出スイッチ３ｄは、自己呼出用と用いられていたものであるので、無効にすればよい。
【００１５】
ここで、図２に示すように、インターホン１が玄関の親機１Ａと、居間の副親機１Ｂと、台所の副親機１Ｃと、子供部屋の副親機Ｄとを備えている場合、玄関の親機１Ａには、居間の内線呼出スイッチ３Ｂと台所の内線呼出スイッチ３Ｃと子供部屋の内線呼出スイッチ３Ｄが設けられており、玄関（自己）の親機１Ａ自身の呼出スイッチは設けられていない。同様にして、居間の副親機１Ｂには、他の玄関、台所、子供部屋の各内線呼出スイッチ３Ａ，３Ｃ，３Ｄが設けられており、居間（自己）の内線呼出スイッチは設けられておらず、台所の副親機１Ｃには、他の玄関、居間、子供部屋の各内線呼出スイッチ３Ａ、３Ｂ、３Ｄが設けられており、台所（自己）の内線呼出スイッチ３Ｃは設けられておらず、子供部屋の副親機１Ｄには、他の玄関、居間、台所の各内線呼出スイッチ３Ａ，３Ｂ，３Ｃが設けられており、子供部屋（自己）の内線呼出スイッチ３Ｄは設けられていない。尚、図１において、符号５は通話回路、符号６はスピーカ、符号７はマイクを示している。
【００１６】
内線呼出スイッチ３によって、自己に割り付けられた内線番号を識別すると、予め準備されたプログラムを実行し、内線呼出スイッチ３には、自己の内線番号の割付をスキップし、予め規定された順序に従って（例えば、図２に示すように、若い順序）、他の内線番号を割り付ける。
その前提としては、各々のインターホンには、予め内線番号を設定しておく必要がある。
【００１７】
内線呼出スイッチには、図２に示すように、呼出先のタグ（玄関、居間、台所、子供部屋など）を付ける。
内線の割付操作の一例について説明すると、内線呼出スイッチを逐一操作する必要はなく、自己の内線番号を設定した後、テンキー、ファンクションキーを操作すれば自動的に実行される。
【００１８】
また、一斉呼出スイッチ３ｄを設けたものにおいては、内線割付モードを実行したときに、自己内線番号をスキップして、他のインターホンに、内線番号を自動的に割り付けた後に、スキップした内線呼出番号の代わりに、内線一斉呼出も自動的に割り付けするようにしている。
内線番号の割付を行った内線呼出スイッチの下、その上に自動割付される場合に限定されず、予め内線一斉呼出スイッチとして特定されたものにも自動割付できるようにしたプログラムで設定する。
【００１９】
このように構成することによって、図２に示すように、自己の内線番号を割り付ける必要がなく、内線呼出スイッチの必要数を軽減することができ、操作スイッチを簡略化することができる。更に、自己の内線番号が割り付けてある場合には、図３に示すように、その内線呼出スイッチを一斉呼出し等の他機能スイッチとして使用でき、未使用の内線呼出スイッチの位置を統一できる。
【００２０】
図４は、本発明の別例のインターホン１０の内部構成を示すブロック図である。図４、図５に示すように、このインターホン１０は、１つのディップスイッチ１１ａで構成されるグループ設定スイッチ１１からなるグループ番号設定手段と、左右２つのディップスイッチ１２ａ，１２ｂで構成される内線番号設定スイッチ１２からなる自己内線番号設定手段と、一斉呼出スイッチ１３と、複数の内線呼出スイッチ１４と、グループ呼出スイッチ１５とを備えている。そして、一斉呼出スイッチ１３による一斉呼出を、グループ番号設定スイッチ１１によって同じグループ番号に設定された他のインターホンに対してのみ行わせるＣＰＵ１６に設けられた呼出制御手段１７を設けた構成としている。
【００２１】
更に、ＣＰＵ１６には自動内線割付手段１８を更に設けており、この自動内線割付手段１８では、グループ設定手段１１によって、同一のグループ番号に設定されている他のインターホンに設定された内線番号のみを、予め設定された順序に従って、内線呼出スイッチ１４に自動的に割付を行うようにしている。
また、グループ呼出スイッチ１５は、操作したときに、グループ番号設定手段１２によって設定された自己のグループ以外で、同一システムを構成する他のグループのインターホンを呼出する構成となっている。
【００２２】
このような構成は、図６に示すような親世帯Ａと子世帯Ｂの２世帯対応システムなどのように、１台の親機１０Ａに複数（本実施の形態では３つ）の副親機１０Ｂ、１０Ｃ、１０Ｄを同一の通話線、制御線で接続して構成されたインターホンシステムを、２つのグループに分けて使用する場合に適用される。
インターホンの内線番号を各グループ毎に設定すれば（自動割付に限定されない）、一斉呼出スイッチ１３による呼出は、同じグループに対してのみ行われるので、同一システムのインターホンであっても、他のグループに影響を与えずに独立して使用できる。また、親機、副親機における内線呼出スイッチの数も少なくできる。
【００２３】
また、インターホンシステムのグループ数を増やせば、そのグループ毎に独立して使用でき、複数世帯、複数家族共用システムやアパートなどに使用できる。
一方、他グループの呼出には、他グループ呼出スイッチを設けて対応する。
インターホンの内線番号を各グループ毎に設定しておき、内線スイッチ自動割付モードを実行すれば、内線呼出スイッチには、同じグループに設定された他のインターホンの内線番号が自動的に割付けされる。
【００２４】
図７は、ハンドセット２１を備えたインターホン２０を適用したものを示し、図８は通話スイッチ３１を備えたハンズフリータイプのインターホン３０を適用したものを示している。尚、Ｓは前述した内線呼出スイッチ群であり、図７のインターホン２０では、ハンドセット２１の右側でインターホン２０の左右中央位置に設けられ、図８のインターホン３０では、通話スイッチ３１の左側に隣接した位置に設けられている。
【００２５】
【発明の効果】
以上説明したように、請求項１の内線番号設定機能を備えたインターホンによれば、自己の内線番号を割り付ける必要がないので、あっても用をなさない内線呼出スイッチの必要数が軽減でき、操作
スイッチの簡略化を図ることができる。
【００２６】
また、自己の内線番号を割り付ける内線呼出スイッチを他の一斉呼出スイッチなどとして利用できる。
更に、既存のインターホンでは、未使用のスイッチが残るが、これはすべてのインターホンで共通化し、統一できるので取扱も混乱しない。
請求項２の内線番号設定機能を備えたインターホンによれば、自動的に内線番号を割り付けた内線呼出スイッチの他の内線呼出スイッチに、内線番号自動割付手段によって、内線一斉呼出機能を割り付けるようにしたので、余分なスイッチが存在せず、この内線呼出機能によって、個々の内線呼出しの他に、内線一斉呼出しを行うことができる。
【００２７】
請求項３の内線番号設定機能を備えたインターホンによれば、インターホンの内線番号を各グループ毎に設定すれば、一斉呼出スイッチによる呼出は、同じグループに対してのみ行われるので、同一システムのインターホンであっても、他のグループに影響を与えずに独立して使用できる。また、親機、副親機に設ける内線呼出スイッチの数も少なくできる。
【００２８】
請求項４の内線番号設定機能を備えたインターホンによれば、インターホンの内線番号を各グループ毎に設定しておき、内線スイッチ自動割付モードを実行すれば、内政呼出スイッチには、同じグループに設定された他のインターホンの内線番号を自動的に割付できる。
請求項５の内線番号設定機能を備えたインターホンによれば、他グループ呼出スイッチを設けているので、自己のグループのみの呼び出しだけでなく、他のグループを一斉に呼び出しできる。
【００２９】
請求項６の内線番号設定機能を備えたインターホンによれば、インターホンがハンドセットを備えたものであるので、既存のハンドセットのインターホンにも適用することができる。
請求項７の内線番号設定機能を備えたインターホンによれば、インターホンが、通話スイッチを備えたハンズフリータイプのものであるので、スイッチを操作するだけで、通話や一斉呼び出しを行うことができる。
【図面の簡単な説明】
【図１】本発明のインターホンの内部構成を示すブロック図である。
【図２】本発明のインターホンの内線呼出スイッチの配列を示す模式図である。
【図３】本発明のインターホンに、一斉呼出スイッチを設けた状態を示す模式図である。
【図４】本発明の別例におけるインターホンの内部構成を示すブロック図である。
【図５】インターホンにおけるグループ設定スイッチ、内線番号設定スイッチと内線呼出スイッチ、一斉呼出スイッチ、他グループ呼出スイッチの配列状態を示す模式図である。
【図６】同一のインターホンシステムにおける親機と複数の副親機とを親世帯と子世帯にグループ分けした状態を示す模式図である。
【図７】本発明が適用されたハンドセットを備えたインターホンの平面図である。
【図８】本発明が適用されたハンズフリータイプのインターホンの平面図である。
【図９】従来のインターホンの内線番号設定スイッチと内線番号呼出スイッチの配列を示す模式図である。
【図１０】従来のインターホンの内線呼出スイッチの配列を示し、自己の内線呼出スイッチの配列位置を示す模式図である。
【図１１】従来の同一インターホンシステムにおける親機と複数の副親機の設置状態を示す模式図である。
【図１２】従来のインターホンにおける一斉呼出スイッチの配列状態を示す模式図である。
【図１】
0003608018.tif 000002
【図２】
0003608018.tif 000003
【図３】
0003608018.tif 000004
【図４】
0003608018.tif 000005
【図５】
0003608018.tif 000006
【図６】
0003608018.tif 000007
【図７】
0003608018.tif 000008
【図８】
0003608018.tif 000009
【図９】
0003608018.tif 000010
【図１０】
0003608018.tif 000011
【図１１】
0003608018.tif 000012
【図１２】
0003608018.tif 000013